(57)【要約】【課題】画像の複製により、肖像権、著作者人格権、著作権等が侵害されるおそれがあった。【解決手段】表示すべき画像の内容を規定する表示画像データと、当該表示画像データを複製することの許可又は禁止を示す複製許否フラグと、を有する画像データの入力を受けるための入力部と、前記複製許否フラグが前記許可を示すとき、前記表示画像データを複製し、前記複製許否フラグが、前記禁止を示すとき、前記表示画像を複製しない処理部と、を含む。【選択図】図１
2009075698.tif 000002
【特許請求の範囲】
【請求項１】
表示すべき画像の内容を規定する表示画像データと、当該表示画像データを複製することの許可又は禁止を示す複製許否フラグと、を有する画像データの入力を受けるための入力部と、
前記複製許否フラグが前記許可を示すとき、前記表示画像データを複製し、前記複製許否フラグが、前記禁止を示すとき、前記表示画像を複製しない処理部と、を含むことを特徴とする画像処理装置。
【請求項２】
前記表示画像データを記憶するための記憶部を更に含むことを特徴とする請求項１記載の画像処理装置。
【請求項３】
前記記憶部は、不揮発性メモリであることを特徴とする請求項２記載の画像処理装置。
【発明の詳細な説明】
【技術分野】
【０００１】
本発明は、人物や背景等についての静止画像及び動画像のような画像を処理する画像処理装置に関する。
【背景技術】
【０００２】
下記の特許文献１に記載された「複製」の機能を有する従来の画像処理装置は、当該画像処理装置のユーザによって、図４（Ａ）に示されるような、表示すべき画像の内容を規定する表示画像データＤＳＰ＿Ｄのみからなる、「原品」である画像データＩＭＧ＿Ｄ（ＯＲ）の入力を受け、かつ、当該画像データＩＭＧ＿Ｄ（ＯＲ）の複製をすべき命令の入力を受けると、当該入力された命令に従った複製を行う。これにより、図４（Ｂ）に示されるような、「複製物」である画像データＩＭＧ＿Ｄ（ＣＰ）を生成する。
【０００３】
【特許文献１】特開２００２−３５１７０４号公報
【発明の開示】
【発明が解決しようとする課題】
【０００４】
しかしながら、上記した従来の画像処理装置は、例えば、前記画像に登場する人物の肖像権、並びに、当該表示画像データＤＳＰ＿Ｄを作成した者の著作者人格権及び著作権を保護する観点から、本来であれば、当該画像データＩＭＧ＿Ｄの複製を行ってはならない場合であっても、当該複製を行ってしまい、前記肖像権、著作者人格権、著作権等を保護することができないという問題があった。
【課題を解決するための手段】
【０００５】
本発明は、上記した課題を解決すべく、以下の適用例により実現される。
【０００６】
［適用例１］
表示すべき画像の内容を規定する表示画像データと、当該表示画像データを複製することの許可又は禁止を示す複製許否フラグと、を有する画像データの入力を受けるための入力部と、
前記複製許否フラグが前記許可を示すとき、前記表示画像データを複製し、前記複製許否フラグが、前記禁止を示すとき、前記表示画像を複製しない処理部と、を含む。
【０００７】
適用例１の画像処理装置によれば、前記処理部が、前記複製許否フラグが前記許可を示すとき、前記表示画像データを複製し、他方で、前記複製許否フラグが、前記入力された表示画像データが、肖像権、著作者人格権、及び著作権等の保護の観点から複製されるべきでない場合に前記禁止を示すとき、前記表示画像データを複製しないことから、従来の画像処理装置と異なり、前記肖像権、著作者人格権、及び著作権等を保護することが可能となる。
【０００８】
［適用例２］
適用例２の画像処理装置は、適用例１の画像処理装置であって、前記表示画像データを記憶するための記憶部を更に含む。
【０００９】
［適用例３］
適用例３の画像処理装置は、適用例２の画像処理装置であって、前記記憶部は、不揮発性メモリである。
【発明を実施するための最良の形態】
【００１０】
実施例の画像処理装置について図面を参照して説明する。
【００１１】
《構成》
図１は、実施例の画像処理装置の構成を示す。実施例の画像処理装置ＩＰＤは、図１に示されるように、入力部１と、操作部２と、処理部３と、記憶部４と、出力部５とを含む。
【００１２】
入力部１は、例えば、フレキシブル・ディスク、ＣＤ、ＤＶＤ、不揮発性メモリ（ＦｅＲＡＭ）のような記録媒体ＭＤに記録された、「原品」である画像データＩＭＧ＿Ｄ（ＯＲ）を読み出すことにより、当該画像データＩＭＧ＿Ｄ（ＯＲ）の入力を受ける。画像データＩＭＧ＿Ｄ（ＯＲ）への頻繁なアクセス（読み出し及び書き込み）を信頼性高く行う観点から、前記記録媒体ＭＤは、ＦｅＲＡＭであることが望ましい。
【００１３】
入力部１は、また、例えば、ネットワーク・インターフェースからなり、インターネット及びイントラネットのようなネットワーク上から前記画像データＩＭＧ＿Ｄ（ＯＲ）を受信することにより、当該画像データＩＭＧ＿Ｄ（ＯＲ）の入力を受ける。
【００１４】
図２は、実施例の画像データの構成を示す。画像データＩＭＧ＿Ｄ（ＯＲ）は、図２に示されるように、表示すべき画像の内容を規定する表示画像データＤＳＰ＿Ｄと、当該表示画像データＤＳＰ＿Ｄを複製することを許可または禁止することを示す複製許否フラグＦからなる。当該表示画像データＤＳＰ＿Ｄは、例えば、写真家、映画会社・映画監督、美術家等により創作された写真、映画、美術等であり、被写体、出演者、モデル等の肖像権、並びに、当該写真家、映画会社・映画監督、美術家の著作者人格権及び著作権（特に、複製に関する権利）が当該者に留保されているとき、当該複製許否フラグＦは、当該表示画像データＤＳＰ＿Ｄの複製を禁止すべく、予め「禁止」に設定されている。
【００１５】
操作部２は、例えば、キーボード及びマウス等からなり、当該画像処理装置ＩＰＤのユーザが、前記画像データＩＭＧ＿Ｄ（ＯＲ）に関する処理、例えば、再生、編集、複製の命令を指示するために用いられる。
【００１６】
処理部３は、例えば、ＣＰＵ及び論理回路からなり、前記操作部２から与えられた命令に従って、前記入力部１から入力された前記画像データＩＭＧ＿Ｄ（ＯＲ）を処理し、即ち、表示画像データＤＳＰ＿Ｄを再生し、編集し、又は複製する。処理部３は、特に、複製については、画像データＩＭＧ＿Ｄ中の複製許否フラグＦに基づき、行うか行わないかを決定する。
【００１７】
記憶部４は、例えば、ハードディスク又は不揮発性メモリ（ＦｅＲＡＭ）からなり、前記処理部３の処理の結果を記憶するために用いられ、例えば、当該処理部３による複製の処理によって作成された、「複製物」である画像データＩＭＧ＿Ｄ（ＣＰ）を格納するために用いられる。
【００１８】
出力部５は、例えば、前記処理部３による複製によって作成された画像データＩＭＧ＿Ｄ（ＣＰ）を、上記したと同様な記録媒体（図示せず。）に記録する機能を有し、または、当該画像データＩＭＧ＿Ｄ（ＣＰ）を、ネットワークを介して送信する機能を有する。
【００１９】
《動作》
図３は、実施例の画像処理装置の動作を示すフローチャートである。以下、実施例の画像処理装置の動作を図３のフローチャートに沿って説明する。
【００２０】
ステップＳ１：入力部１は、記録媒体ＭＤに記録された画像データＩＭＧ＿Ｄを読み出し、即ち、画像データＩＭＧ＿Ｄ（ＯＲ）の入力を行う。
【００２１】
ステップＳ２：ステップＳ１での画像データＩＭＧ＿Ｄ（ＯＲ）の入力の後、画像処理装置ＩＰＤのユーザは、操作部２により、画像データＩＭＧ＿Ｄ（ＯＲ）を「複製」する旨の命令を入力する。
【００２２】
ステップＳ３：ステップＳ２で入力された「複製」の命令に応答すべく、処理部３は、前記入力部１から入力された画像データＩＭＧ＿Ｄ（ＯＲ）中の複製許否フラグＦが「許可」又は「禁止」のいずれであるかを判断する。
【００２３】
ステップＳ４：ステップＳ３で、処理部３は、複製許否フラグＦが「許可」であると判断すると、前記表示画像データＤＳＰ＿Ｄを複製することにより、「複製物」である、前記表示画像データＤＳＰ＿Ｄからなる画像データＩＭＧ＿Ｄ（ＣＰ）（図４（Ｂ）に図示。）を作成する。当該画像データＩＭＧ＿Ｄ（ＣＰ）が作成されると、処理部３は、当該作成された画像データＩＭＧ＿Ｄ（ＣＰ）を、記憶部４に書き込み、又は、出力部５から出力する。
【００２４】
ステップＳ５：ステップＳ３で、処理部３は、複製許否フラグＦが「禁止」であると判断すると、前記表示画像データＤＳＰ＿Ｄの複製を行わない。
【００２５】
《効果》
上述したように、実施例の画像処理装置ＩＰＤでは、処理部３は、複製許否フラグＦが「許可」であると判断するときには、「原品」である画像データＩＭＧ＿Ｄ中の表示画像データＤＳＰ＿Ｄの複製により、「複製物」である画像データＩＭＧ＿Ｄ（ＣＰ）を作成し、対照的に、複製許否フラグＦが「禁止」であると判断するときには、表示画像データＤＳＰ＿Ｄの複製を行わない。これにより、肖像権、著作者人格権、又は著作権による保護されるべき表示画像データＤＳＰ＿Ｄが、無秩序に複製されてしまう事態を回避することが可能となる。
【図面の簡単な説明】
【００２６】
【図１】実施例の画像処理装置の構成を示す図。
【図２】実施例の画像データの構成を示す図。
【図３】実施例の画像処理装置の動作を示すフローチャート。
【図４】従来の画像データの構成を示す図。
【符号の説明】
【００２７】
ＩＰＤ…画像処理装置、１…入力部、２…操作部、３…処理部、４…記憶部、５…出力部、ＩＭＧ＿Ｄ（ＯＲ）…画像データ（原品）。
【図１】
2009075698.tif 000003
【図２】
2009075698.tif 000004
【図３】
2009075698.tif 000005
【図４】
2009075698.tif 000006